(57)【要約】  ユーザ端末（２０）において、受信部（２０２）は、下りリンクリソースにマッピングされたデータ信号及び復調用参照信号を含む下りリンク信号を受信し、制御部（２０３）は、サブフレーム内の固定のシンボルに復調用参照信号が配置される第１の配置方法、及び、サブフレーム内のデータ信号がマッピングされるシンボルの先頭に復調用参照信号が配置される第２の配置方法のうちのユーザ端末（２０）に設定された何れか一方の配置方法に基づいて、下りリンク信号に含まれる復調用参照信号の受信を制御する。
2018142746.tif 000002
【特許請求の範囲】
【請求項１】
下りリンクリソースにマッピングされたデータ信号及び復調用参照信号を含む下りリンク信号を受信する受信部と、
サブフレーム内の固定のシンボルに前記復調用参照信号が配置される第１の配置方法、及び、サブフレーム内の前記データ信号がマッピングされるシンボルの先頭に前記復調用参照信号が配置される第２の配置方法のうちのユーザ端末に設定された何れか一方の配置方法に基づいて、前記下りリンク信号に含まれる前記復調用参照信号の受信を制御する制御部と、
を具備するユーザ端末。
【請求項２】
サブフレーム内の固定のシンボルに復調用参照信号が配置される第１の配置方法、及び、サブフレーム内のデータ信号がマッピングされるシンボルの先頭に前記復調用参照信号が配置される第２の配置方法のうちのユーザ端末に設定された何れか一方の配置方法に基づいて、上りリンクリソースに前記復調用参照信号をマッピングするマッピング部と、
前記データ信号及び前記復調用参照信号を含む上りリンク信号を送信する送信部と、
を具備するユーザ端末。
【請求項３】
前記ユーザ端末に対して、前記第１の配置方法及び前記第２の配置方法のうち何れか一方の配置方法が予め規定されている、
請求項１又は２に記載のユーザ端末。
【請求項４】
前記規定されている配置方法から他の配置方法への切り替えが前記ユーザ端末に通知される、
請求項３に記載のユーザ端末。
【請求項５】
前記第１の配置方法及び前記第２の配置方法のうち、前記ユーザ端末に設定される配置方法が前記ユーザ端末に通知される、
請求項１又は２に記載のユーザ端末。
【請求項６】
下りリンクリソースにマッピングされたデータ信号及び復調用参照信号を含む下りリンク信号を受信し、
サブフレーム内の固定のシンボルに前記復調用参照信号が配置される第１の配置方法、及び、サブフレーム内の前記データ信号がマッピングされるシンボルの先頭に前記復調用参照信号が配置される第２の配置方法のうちのユーザ端末に設定された何れか一方の配置方法に基づいて、前記下りリンク信号に含まれる前記復調用参照信号の受信を制御する、
無線通信方法。
【請求項７】
サブフレーム内の固定のシンボルに復調用参照信号が配置される第１の配置方法、及び、サブフレーム内のデータ信号がマッピングされるシンボルの先頭に前記復調用参照信号が配置される第２の配置方法のうちのユーザ端末に設定された何れか一方の配置方法に基づいて、上りリンクリソースに前記復調用参照信号をマッピングし、
前記データ信号及び前記復調用参照信号を含む上りリンク信号を送信する、
無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal Mobile Telecommunications System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれる）も検討されている。【０００３】
将来の無線通信システム（例えば、５Ｇ）では、超高速、大容量化、超低遅延などの要求を達成するために、広帯域の周波数スペクトルを利用することが検討されている。このため、将来の無線通信システムでは、既存のＬＴＥシステムにおいて用いられる周波数帯よりも高い周波数帯（例えば、３０〜７０ＧＨｚ帯）を用いること等が検討されている。【０００４】
また、将来の無線通信システムでは、サブフレーム内におけるチャネル推定及び信号復調に要する処理時間の短縮を実現するため、復調用参照信号（例えば、ＤＭＲＳ（Demodulation Reference Signal）。以下、「復調用ＲＳ」と呼ぶこともある）を、サブフレームの前方にマッピングすることが検討されている（非特許文献２）。
【先行技術文献】
【非特許文献】
【０００５】
【非特許文献１】3GPP TS 36.300 v13.4.0, “Evolved Universal Terrestrial Radio Access (E-UTRA) and Evolved Universal Terrestrial Radio Access Network (E-UTRAN); Overall description; Stage 2 (Release 13),” June 2016
【非特許文献２】R1-165575, Qualcomm, Ericsson, Panasonic, NTT Docomo, ZTE, Convida, Nokia, ASB, Sony, Intel, “Way Forward On Frame Structure,” May 2016.
【発明の概要】
【発明が解決しようとする課題】
【０００６】
サブフレームの前方にマッピングされた復調用ＲＳを受信する受信側（無線基地局又はユーザ端末（ＵＥ：User Equipment））は、復調用ＲＳに基づいてチャネル推定値を行い、データチャネルの復調を行う。しかしながら、復調用ＲＳがマッピングされるシンボル位置によっては、復調用ＲＳに起因する干渉又はデータチャネルの復調時の遅延が発生してしまう。【０００７】
本発明の一態様は、適切にマッピングされた復調用ＲＳを用いてデータ信号を復調できる、又は、リソースに復調用ＲＳを適切にマッピングできるユーザ端末及び無線通信方法を提供することである。
【課題を解決するための手段】
【０００８】
本発明の一態様に係るユーザ端末は、下りリンクリソースにマッピングされたデータ信号及び復調用参照信号を含む下りリンク信号を受信する受信部と、サブフレーム内の固定のシンボルに前記復調用参照信号が配置される第１の配置方法、及び、サブフレーム内の前記データ信号がマッピングされるシンボルの先頭に前記復調用参照信号が配置される第２の配置方法のうちのユーザ端末に設定された何れか一方の配置方法に基づいて、前記下りリンク信号に含まれる前記復調用参照信号の受信を制御する制御部と、を備える。
【発明の効果】
【０００９】
本発明の一態様によれば、復調用ＲＳを適切にマッピングできる。
【図面の簡単な説明】
【００１０】
【図１Ａ】一実施の形態に係る復調用ＲＳのシンボル配置例（配置方法１）を示す図である。
【図１Ｂ】一実施の形態に係る復調用ＲＳのシンボル配置例（配置方法１）を示す図である。
【図２Ａ】一実施の形態に係る復調用ＲＳのシンボル配置例（配置方法２）を示す図である。
【図２Ｂ】一実施の形態に係る復調用ＲＳのシンボル配置例（配置方法２）を示す図である。
【図３】一実施の形態に係る無線基地局の構成例を示すブロック図である。
【図４】一実施の形態に係るユーザ端末の構成例を示すブロック図である。
【図５Ａ】一実施の形態に係るマッピング設定例１の動作を示す図
【図５Ｂ】一実施の形態に係るマッピング設定例２の動作を示す図
【図５Ｃ】一実施の形態に係るマッピング設定例３の動作を示す図
【図６】本発明に係る無線基地局及びユーザ端末のハードウェア構成の一例を示す図である。
【発明を実施するための形態】
【００１１】
以下、本発明の一実施の形態について、図面を参照して詳細に説明する。
【００１２】
＜復調用ＲＳの配置方法＞
サブフレームの前方のシンボルには制御チャネルがマッピングされる可能性がある。また、サブフレームにおいて制御チャネルがマッピングされるシンボルよりも後方にデータチャネルがマッピングされる可能性がある。また、制御チャネルがマッピングされるシンボル数は変動する可能性もある。この場合、復調用ＲＳのシンボル配置（配置方法）として、以下の２つの方法が考えられる。
【００１３】
図１及び図２は、復調用ＲＳのシンボル配置例を示す。なお、一例として、図１及び図２に示す各ブロックは、１シンボルと１サブキャリアとにより定義される無線リソース領域である１ＲＥ（Resource Element）を表す。また、図１及び図２では、１サブフレームは、１４シンボルで構成される。
【００１４】
［配置方法１］
配置方法１では、サブフレーム内の固定のシンボルに復調用ＲＳが配置される。
【００１５】
図１Ａ及び図１Ｂは、配置方法１における復調用ＲＳのシンボル配置例を示す。
【００１６】
図１Ａ及び図１Ｂでは、復調用ＲＳは、制御チャネルがマッピングされるシンボル数に依らず、サブフレームの先頭から４シンボル目に固定的にマッピングされる。
【００１７】
すなわち、配置方法１では、図１Ａに示すように制御チャネルがサブフレーム先頭の３シンボルにマッピングされる場合、及び、図１Ｂに示すように制御チャネルがサブフレーム先頭の１シンボルにマッピングされる場合の何れにおいても、復調用ＲＳはサブフレーム先頭から４シンボル目にマッピングされる。
【００１８】
配置方法１により、例えば、セル間、又は、下りリンク（Downlink：ＤＬ）と上りリンク（Uplink：ＵＬ）との間において復調用ＲＳに起因する干渉が発生しないように（例えば、復調用ＲＳが衝突しないように）、復調用ＲＳのマッピングを予め設計できる。これにより、復調用ＲＳについて干渉制御を容易に行える。
【００１９】
一方、配置方法１では、復調用ＲＳのシンボル位置によっては受信側における復調時に遅延時間が増大してしまう可能性がある。例えば、図１Ｂに示すように、復調用ＲＳのシンボル位置（４シンボル目）よりも前のシンボル（例えば、２，３シンボル目）にデータチャネルがマッピングされる場合、受信側において、当該データチャネルの復調時に復調用ＲＳの受信を待つ分の遅延が発生する。
【００２０】
［配置方法２］
配置方法２では、サブフレーム内のデータ信号（データチャネル）がマッピングされるシンボルの先頭に復調用ＲＳが配置される。
【００２１】
図２Ａ及び図２Ｂは、配置方法２における復調用ＲＳのマッピング例を示す。
【００２２】
図２Ａ及び図２Ｂに示すように、制御チャネルがマッピングされるシンボル数に応じてデータチャネルの先頭のシンボル位置が変動する。よって、復調用ＲＳのシンボル位置は、データチャネル（又は制御チャネル）がマッピングされるシンボル数に応じて変動する。
【００２３】
例えば、図２Ａに示すようにデータチャネルがサブフレーム先頭から４シンボル目以降にマッピングされる場合、復調用ＲＳはサブフレーム先頭から４シンボル目にマッピングされる。また、図２Ｂに示すようにデータチャネルがサブフレーム先頭から２シンボル目以降にマッピングされる場合、復調用ＲＳはサブフレーム先頭から２シンボル目にマッピングされる。
【００２４】
配置方法２により、復調用ＲＳはデータチャネルがマッピングされるシンボルの先頭にマッピングされるので、受信側においてデータチャネルの復調時の遅延を抑えることができる。
【００２５】
一方、配置方法２では、データチャネル（又は制御チャネル）の割当に応じて復調用ＲＳのシンボル位置が変動するので、例えば、セル間又はＤＬ／ＵＬ間における復調用ＲＳに起因する干渉が発生しないようにするには干渉制御が複雑化してしまう。
【００２６】
以上のように、復調用ＲＳの配置方法１及び配置方法２の何れの方法が適切であるかは、想定される通信状況（シナリオ）に依存する。
【００２７】
また、将来の無線通信システムの拡張性（Forward compatibility）を考慮した柔軟な復調用ＲＳのマッピングをサポートすることも望まれている。
【００２８】
そこで、本実施の形態では、復調用ＲＳを適切にマッピングできる方法について説明する。具体的には、本実施の形態では、サブフレーム内の固定のシンボルに復調用ＲＳが配置される配置方法１（図１参照）、及び、サブフレーム内のデータ信号がマッピングされるシンボルの先頭に復調用ＲＳが配置される配置方法２（図２参照）のうちの何れか一方の配置方法に基づいて復調用ＲＳをマッピングするシンボルを決定する。
【００２９】
＜無線通信システム＞
本実施の形態に係る無線通信システムは、少なくとも、図３に示す無線基地局１０及び図４に示すユーザ端末２０を備える。ユーザ端末２０は、無線基地局１０に接続（アクセス）している。
【００３０】
無線基地局１０は、ユーザ端末２０に対して、下り制御チャネル（例えば、ＰＤＣＣＨ：Physical Downlink Control Channel）を用いてＤＬ制御信号を送信し、下りデータチャネル（例えば、下り共有チャネル：ＰＤＳＣＨ：Physical Downlink Shared Channel）を用いてＤＬデータ信号及び復調用ＲＳを送信する。また、ユーザ端末２０は、無線基地局１０に対して、上り制御チャネル（例えば、ＰＵＣＣＨ：Physical Uplink Control Channel）を用いてＵＬ制御信号を送信し、上りデータチャネル（例えば、上り共有チャネル：ＰＵＳＣＨ：Physical Uplink Shared Channel）を用いてＵＬデータ信号及び復調用ＲＳを送信する。
【００３１】
なお、無線基地局１０及びユーザ端末２０が送受信する下りチャネル及び上りチャネルは、上記のＰＤＣＣＨ、ＰＤＳＣＨ、ＰＵＣＣＨ、ＰＵＳＣＨ等に限定されず、例えば、ＰＢＣＨ（Physical Broadcast Channel）、ＲＡＣＨ（Random Access Channel）等の他のチャネルでもよい。
【００３２】
また、図３及び図４では、無線基地局１０及びユーザ端末２０において生成されるＤＬ／ＵＬの信号波形は、ＯＦＤＭ（Orthogonal Frequency Division Multiplexing）変調に基づく信号波形でもよく、ＳＣ−ＦＤＭＡ（Single Carrier-Frequency Division Multiple Access）又はＤＦＴ−Ｓ−ＯＦＤＭ（DFT-Spread-OFDM））に基づく信号波形でもよく、他の信号波形でもよい。図３及び図４では、信号波形を生成するための構成部（例えば、IFFT処理部、CP付加部、CP除去部、FFT処理部等）の記載を省略している。
【００３３】
＜無線基地局＞
図３は、本実施の形態に係る無線基地局の全体構成の一例を示す図である。図３に示す無線基地局１０は、スケジューラ１０１と、送信信号生成部１０２と、符号化・変調部１０３と、マッピング部１０４と、送信部１０５と、アンテナ１０６と、受信部１０７と、制御部１０８と、復調・復号部１０９と、を含む構成を採る。
【００３４】
スケジューラ１０１は、ＤＬ信号（ＤＬデータ信号、ＤＬ制御信号及び復調用ＲＳ等）のスケジューリング（例えば、リソース割当）を行う。また、スケジューラ１０１は、ＵＬ信号（ＵＬデータ信号、ＵＬ制御信号及び復調用ＲＳ等）のスケジューリング（例えば、リソース割当）を行う。例えば、スケジューラ１０１は、上述した復調用ＲＳの配置方法１及び配置方法２の何れか一方の配置方法に基づいて、ユーザ端末２０に対する復調用ＲＳのマッピング設定を行う。なお、復調用ＲＳのマッピング（配置）設定の詳細については後述する。
【００３５】
スケジューラ１０１は、スケジューリング結果を示すスケジューリング情報を送信信号生成部１０２、マッピング部１０４及び制御部１０８に出力する。
【００３６】
また、スケジューラ１０１は、例えば、無線基地局１０と端末２０との間のチャネル品質に基づいて、ＤＬデータ信号及びＵＬデータ信号のＭＣＳ（符号化率、変調方式等）を設定し、ＭＣＳ情報を送信信号生成部１０２及び符号化・変調部１０３へ出力する。なお、ＭＣＳは、無線基地局１０が設定する場合に限定されず、ユーザ端末２０が設定してもよい。ユーザ端末２０がＭＣＳを設定する場合、無線基地局１０は、ユーザ端末２０からＭＣＳ情報を受信すればよい（図示せず）。
【００３７】
送信信号生成部１０２は、送信信号（ＤＬデータ信号、ＤＬ制御信号を含む）を生成する。例えば、ＤＬ制御信号には、スケジューラ１０１から出力されたスケジューリング情報（例えば、ＤＬデータ信号のリソース割当情報）又はＭＣＳ情報を含む下り制御情報（ＤＣＩ：Downlink Control Information）が含まれる。送信信号生成部１０２は、生成した送信信号を符号化・変調部１０３に出力する。
【００３８】
符号化・変調部１０３は、例えば、スケジューラ１０１から入力されるＭＣＳ情報に基づいて、送信信号生成部１０２から入力される送信信号に対して、符号化処理及び変調処理を行う。符号化・変調部１０３は、変調後の送信信号をマッピング部１０４に出力する。
【００３９】
マッピング部１０４は、スケジューラ１０１から入力されるスケジューリング情報（ＤＬのリソース割当及び復調用ＲＳのマッピング設定）に基づいて、符号化・変調部１０３から入力される送信信号を所定の無線リソース（ＤＬリソース）にマッピングする。また、マッピング部１０４は、スケジューリング情報に基づいて、参照信号（復調用ＲＳ）を所定の無線リソース（ＤＬリソース）にマッピングする。マッピング部１０４は、無線リソースにマッピングされたＤＬ信号を送信部１０５に出力する。
【００４０】
送信部１０５は、マッピング部１０４から入力されるＤＬ信号に対して、アップコンバート、増幅等の送信処理を行い、無線周波数信号（ＤＬ信号）をアンテナ１０６から送信する。
【００４１】
受信部１０７は、アンテナ１０６において受信された無線周波数信号（ＵＬ信号）に対して、増幅、ダウンコンバート等の受信処理を行い、ＵＬ信号を制御部１０８に出力する。
【００４２】
制御部１０８は、スケジューラ１０１から入力されるスケジューリング情報（ＵＬのリソース割当又は復調用ＲＳのマッピング設定）に基づいて、受信部１０７から入力されるＵＬ信号からＵＬデータ信号及び復調用ＲＳを分離（デマッピング）し、ＵＬデータ信号を復調・復号部１０９に出力する。
【００４３】
また、制御部１０８は、復調用ＲＳを用いてチャネル推定を行い、推定結果であるチャネル推定値を復調・復号部１０９に出力する。
【００４４】
復調・復号部１０９は、制御部１０８から入力されるチャネル推定値に基づいて、制御部１０８から入力されるＵＬデータ信号に対して復調及び復号処理を行う。復調・復号部１０９は、復調後のＵＬデータ信号を、アプリケーション部（図示せず）に転送する。なお、アプリケーション部は、物理レイヤ又はＭＡＣレイヤより上位のレイヤに関する処理などを行う。
【００４５】
＜ユーザ端末＞
図４は、本実施の形態に係るユーザ端末の全体構成の一例を示す図である。図４に示すユーザ端末２０は、アンテナ２０１と、受信部２０２と、制御部２０３と、復調・復号部２０４と、送信信号生成部２０５と、符号化・変調部２０６と、マッピング部２０７と、送信部２０８と、を含む構成を採る。
【００４６】
受信部２０２は、アンテナ２０１において受信された無線周波数信号（ＤＬ信号）に対して、増幅、ダウンコンバート等の受信処理を行い、ＤＬ信号を制御部２０３に出力する。ＤＬ信号には、少なくとも、ＤＬデータ信号及び復調用ＲＳが含まれる。
【００４７】
制御部２０３は、ＤＬ信号に含まれる復調用ＲＳ及びＤＬデータ信号の受信を制御する。具体的には、制御部２０３は、受信部２０２から入力されるＤＬ信号からＤＬ制御信号及び復調用ＲＳを分離（デマッピング）する。この際、制御部２０３は、上述した配置方法１及び配置方法２のうちのユーザ端末２０に設定された何れか一方の配置方法に基づいて、ＤＬ信号から復調用ＲＳを分離する。なお、復調用ＲＳのマッピング（配置）設定の詳細については後述する。
【００４８】
また、制御部２０３は、復調・復号部２０４から入力されるスケジューリング情報（例えば、ＤＬのリソース割当情報）に基づいて、ＤＬ信号からＤＬデータ信号を分離（デマッピング）し、ＤＬデータ信号を復調・復号部２０４に出力する。
【００４９】
また、制御部２０３は、復調用ＲＳを用いてチャネル推定を行い、推定結果であるチャネル推定値を復調・復号部２０４に出力する。
【００５０】
復調・復号部２０４は、制御部２０３から入力されるＤＬ制御信号を復調する。また、復調・復号部２０４は、復調後のＤＬ制御信号に対して復号処理（例えば、ブラインド検出処理）を行う。復調・復号部２０４は、ＤＬ制御信号を復号することによって得られた自機宛てのスケジューリング情報（ＤＬ／ＵＬのリソース割当又は復調用ＲＳのマッピング設定）を制御部２０３及びマッピング部２０７に出力し、ＵＬデータ信号に対するＭＣＳ情報を符号化・変調部２０６へ出力する。
【００５１】
また、復調・復号部２０４は、制御部２０３から入力されるチャネル推定値及びＤＬ制御信号に含まれるＤＬデータ信号に対するＭＣＳ情報に基づいて、制御部２０３から入力されるＤＬデータ信号に対して復調及び復号処理を行う。また、復調・復号部２０４は、復調後のＤＬデータ信号をアプリケーション部（図示せず）に転送する。なお、アプリケーション部は、物理レイヤ又はＭＡＣレイヤより上位のレイヤに関する処理などを行う。
【００５２】
送信信号生成部２０５は、送信信号（ＵＬデータ信号又はＵＬ制御信号を含む）を生成し、生成した送信信号を符号化・変調部２０６に出力する。
【００５３】
符号化・変調部２０６は、例えば、復調・復号部２０４から入力されるＭＣＳ情報に基づいて、送信信号生成部２０５から入力される送信信号に対して、符号化処理及び変調処理を行う。符号化・変調部２０６は、変調後の送信信号をマッピング部２０７に出力する。
【００５４】
マッピング部２０７は、復調・復号部２０４から入力されるスケジューリング情報（ＵＬのリソース割当）に基づいて、符号化・変調部２０６から入力される送信信号を所定の無線リソース（ＵＬリソース）にマッピングする。また、マッピング部２０７は、スケジューリング情報（復調用ＲＳのマッピング設定）に基づいて、参照信号（復調用ＲＳ）を所定の無線リソース（ＵＬリソース）にマッピングする。例えば、マッピング部２０７は、上述した配置方法１及び配置方法２のうちのユーザ端末２０に設定された何れか一方の配置方法に基づいて、ＵＬリソースに復調用ＲＳをマッピングする。マッピング部２０７は、無線リソースにマッピングされたＵＬ信号を送信部２０８に出力する。
【００５５】
送信部２０８は、マッピング部２０７から入力されるＵＬ信号（少なくともＵＬデータ信号及び復調用ＲＳを含む）に対して、アップコンバート、増幅等の送信処理を行い、無線周波数信号（ＵＬ信号）をアンテナ２０１から送信する。
【００５６】
＜無線基地局１０及びユーザ端末２０の動作＞
次に、上述した無線基地局１０及びユーザ端末２０の動作について詳細に説明する。
【００５７】
ユーザ端末２０に対して、復調用ＲＳの配置方法１（図１を参照）及び配置方法２（図２を参照）の何れか一方の配置方法が設定される。
【００５８】
例えば、低遅延が要求されず、かつ、複数のセルが密集するようなシナリオにおいて他セルからの干渉を受ける位置に存在するユーザ端末２０に対して、干渉制御を容易に行うことができる配置方法１が設定されてもよい。また、低遅延が要求されるシナリオではユーザ端末２０に対して、復調時の遅延が抑えられる配置方法２が設定されてもよい。または、ユーザ端末２０に対して例えばリアルタイム性（つまり低遅延）が要求される信号が送信される場合に配置方法２が設定されてもよい。つまり、ユーザ端末２０の状況（想定されるシナリオ又は通信される信号の種別等）に応じて、復調用ＲＳの複数の配置方法の中から適切な配置方法が設定されればよい。
【００５９】
ユーザ端末２０に対する復調用ＲＳのマッピング設定例として、以下の３つのマッピング設定例１〜３について説明する。
【００６０】
［マッピング設定例１］
マッピング設定例１では、各ユーザ端末２０に対して、復調用ＲＳの配置方法として配置方法１及び配置方法２の何れか一方の配置方法が予め規定されている。例えば、図５Ａに示すように、各ユーザ端末２０に対して想定されるシナリオに応じて配置方法が予め規定されてもよい。
【００６１】
ＤＬでは、無線基地局１０は、ユーザ端末２０に対して予め規定された配置方法に基づいて復調用ＲＳをサブフレーム内のシンボルにマッピングし、ユーザ端末２０へ送信する。また、ユーザ端末２０は、自機に対して予め規定された配置方法に基づいて復調用ＲＳを受信し、復調用ＲＳから得られるチャネル推定値に基づいてＤＬデータ信号を復調する。
【００６２】
また、ＵＬでは、ユーザ端末２０は、自機に対して予め規定された配置方法に基づいて復調用ＲＳをサブフレーム内のシンボルにマッピングし、無線基地局１０へ送信する。また、無線基地局１０は、ユーザ端末２０に対して予め規定された配置方法に基づいて復調用ＲＳを受信し、復調用ＲＳから得られるチャネル推定値に基づいてＵＬデータ信号を復調する。
【００６３】
このように、マッピング設定例１によれば、ユーザ端末２０は、復調用ＲＳに関する複数の配置方法の中から、当該ユーザ端末２０の通信状況に適した配置方法を適用できる。また、マッピング設定例１では、図５Ａに示すように、復調用ＲＳのマッピング設定が予め規定されているので、復調用ＲＳの設定に関するシグナリングは不要である。
【００６４】
［マッピング設定例２］
マッピング設定例２では、図５Ｂに示すように、マッピング設定例１と同様、各ユーザ端末２０に対して、復調用ＲＳの配置方法として配置方法１及び配置方法２の何れか一方の配置方法が予め規定されている。更に、マッピング設定例２では、ユーザ端末２０に対する復調用ＲＳの配置方法は、必要に応じて変更される。例えば、図５Ｂに示すように、ユーザ端末２０に対して規定されている配置方法から他の配置方法への切り替え（切替指示）がユーザ端末２０に通知される。なお、復調用ＲＳの配置方法の変更は、semi-staticに行われてもよく、dynamicに行われてもよい。
【００６５】
例えば、無線基地局１０は、配置方法１が予め設定されているユーザ端末２０について低遅延が要求された場合に、当該ユーザ端末２０に対して配置方法２に変更してもよい。また、例えば、無線基地局１０は、配置方法２が予め設定されているユーザ端末２０がセル境界付近に移動した場合に、当該ユーザ端末２０に対して配置方法１に変更してもよい。
【００６６】
すなわち、マッピング設定例２では、ユーザ端末２０の通信環境が変化した場合に復調用ＲＳの配置方法を切り替えることができる。
【００６７】
なお、復調用ＲＳのマッピング設定（配置方法の切り替え）を無線基地局１０からユーザ端末２０へ通知する方法については後述する。
【００６８】
ＤＬでは、無線基地局１０は、ユーザ端末２０に対して予め規定された配置方法又は変更された配置方法に基づいて復調用ＲＳをサブフレーム内のシンボルにマッピングし、ユーザ端末２０へ送信する。また、ユーザ端末２０は、自機に対して予め規定された配置方法又は変更された配置方法に基づいて復調用ＲＳを受信し、復調用ＲＳから得られるチャネル推定値に基づいてＤＬデータ信号を復調する。
【００６９】
また、ＵＬでは、ユーザ端末２０は、自機に対して予め規定された配置方法又は変更された配置方法に基づいて復調用ＲＳをサブフレーム内のシンボルにマッピングし、無線基地局１０へ送信する。また、無線基地局１０は、ユーザ端末２０に対して予め規定された配置方法又は変更された配置方法に基づいて復調用ＲＳを受信し、復調用ＲＳから得られるチャネル推定値に基づいてＵＬデータ信号を復調する。
【００７０】
このように、マッピング設定例２によれば、マッピング設定例１と同様、ユーザ端末２０は、復調用ＲＳに関する複数の配置方法の中から、当該ユーザ端末２０の通信状況に適した配置方法を適用できる。さらに、マッピング設定例２によれば、ユーザ端末２０の通信状況が変化した場合でも、通信状況の変化に応じて復調用ＲＳの配置方法を適切に切り替えることができる。
【００７１】
［マッピング設定例３］
マッピング設定例３では、マッピング設定例１，２のように予め規定されずに、図５Ｃに示すように、復調用ＲＳの配置方法１及び配置方法２のうち、ユーザ端末２０に設定される配置方法がユーザ端末２０へ通知される。復調用ＲＳの配置方法の通知は、semi-staticに行われてもよく、dynamicに行われてもよい。なお、復調用ＲＳのマッピング設定（配置方法）の通知方法については後述する。
【００７２】
ＤＬでは、無線基地局１０は、ユーザ端末２０に対する復調用ＲＳの配置方法を設定し、設定した配置方法をユーザ端末２０に通知する。そして、無線基地局１０は、ユーザ端末２０に対して設定された配置方法に基づいて復調用ＲＳをマッピングし、ユーザ端末２０へ送信する。また、ユーザ端末２０は、無線基地局１０から通知される配置方法に基づいて復調用ＲＳを受信し、復調用ＲＳから得られるチャネル推定値に基づいてＤＬデータ信号を復調する。
【００７３】
また、ＵＬでは、ユーザ端末２０は、無線基地局１０から通知される配置方法に基づいて復調用ＲＳをサブフレーム内のシンボルにマッピングし、無線基地局１０へ送信する。また、無線基地局１０は、ユーザ端末２０に対して設定した配置方法に基づいて復調用ＲＳを受信し、復調用ＲＳから得られるチャネル推定値に基づいてＵＬデータ信号を復調する。
【００７４】
このように、マッピング設定例３によれば、ユーザ端末２０は、ユーザ端末２０の通信状況に応じて復調用ＲＳの配置方法を適切に切り替えることができる。
【００７５】
以上、ユーザ端末２０に対する復調用ＲＳのマッピング設定例について説明した。
【００７６】
なお、復調用ＲＳのマッピング設定について、同一セル内に位置するユーザ端末２０に対して共通の配置方法が設定されてもよく、ユーザ端末２０毎に異なる配置方法が設定されてもよい。また、異なるセル内にそれぞれ位置するユーザ端末２０に対して異なる配置方法が設定されてもよい。
【００７７】
次に、上述したマッピング設定例２及びマッピング設定例３において、ユーザ端末２０に対する復調用ＲＳのマッピング設定の通知方法について説明する。
【００７８】
無線基地局１０は、ユーザ端末２０に対して復調用ＲＳの配置方法を示す情報を、明示的（explicit）に通知してもよく、暗黙的（implicit）に通知してもよい。例えば、図５Ｂに示す切替指示又は図５Ｃに示すシグナリングは、復調用ＲＳの配置方法をexplicitに示す情報でもよく、復調用ＲＳの配置方法をimplicitに示す情報でもよい。
【００７９】
例えば、復調用ＲＳの配置方法をexplicitに通知する場合、無線基地局１０は、ＲＲＣ（Radio Resource Control）シグナリング、ＭＡＣ（Medium Access Control）シグナリング、ＰＨＹ（物理レイヤ）シグナリング等によって復調用ＲＳの配置方法をユーザ端末２０へ通知してもよい。一例として、無線基地局１０は、ＰＢＣＨで送信されるＭＩＢ（Master Information Block）、ランダムアクセス処理において用いられるＲＡＣＨメッセージ２（Random Access Response：ＲＡＲと呼ばれることもある）、ＲＡＣＨメッセージ３、ＲＡＣＨメッセージ４、ＳＩＢ（System Information Block）、ＲＲＣ、又は、ＤＣＩ（Downlink Control Information）等を用いて復調用ＲＳの配置方法をユーザ端末２０へ通知してもよい。
【００８０】
また、復調用ＲＳの配置方法をimplicitに通知する場合、無線基地局１０及びユーザ端末２０は、例えば、同期信号（Synchronization Signal：ＳＳ）、ＰＢＣＨ、ＳＩＢ又はＲＡＣＨの構成等と、復調用ＲＳの配置方法（例えば、配置方法１、２）とを１対１で関連付けてもよい。例えば、ＳＳ、ＰＢＣＨ、ＳＩＢ、ＲＡＣＨの各々の構成として複数のパターンがそれぞれ規定されている場合に、複数のパターンが、配置方法１に関連付けられるグループと、配置方法２に関連付けられるグループとにグループ分けされてもよい。グループ分けの際、各パターン（例えば、ＳＳのサブキャリア間隔が異なる各パターン）に対して、当該パターンが使用される通信環境に適した復調用ＲＳの配置方法が関連付けられてもよい。
【００８１】
無線基地局１０は、ユーザ端末２０に設定した復調用ＲＳの配置方法に関連付けられたグループの信号をユーザ端末２０へ送信する。そして、ユーザ端末２０は、無線基地局１０から送信された信号が属するグループに関連付けられた復調用ＲＳの配置方法（例えば、配置方法１又は２）を、自機に設定された配置方法として特定する。この処理により、復調用ＲＳのマッピング設定が既存の信号によってimplicitに通知されるので、復調用ＲＳのマッピング設定を通知するための新たなシグナリングが不要となる。
【００８２】
または、復調用ＲＳの配置方法をimplicitに通知する方法として、無線基地局１０は、配置方法１又は２の何れか一方に基づいて復調用ＲＳをマッピングしてユーザ端末２０へ送信し、ユーザ端末２０は、配置方法１及び配置方法２の双方について、復調用ＲＳがマッピングされる可能性のあるシンボルにおいて復調用ＲＳがマッピングされていると仮定して推定処理を行い（ブラインドで推定し）、復調用ＲＳがマッピングされたシンボルを特定してもよい。この処理により、復調用ＲＳを通知するための新たなシグナリングが不要となる。
【００８３】
なお、無線基地局１０からユーザ端末２０への復調用ＲＳの配置方法の通知は、周期的に行われてもよく、動的に行われてもよい。
【００８４】
次に、復調用ＲＳのマッピング設定及び通知方法について、復調用ＲＳがマッピングされるチャネルの種別毎に説明する。
【００８５】
［ＰＢＣＨ（ＭＩＢ）］
ＰＢＣＨに対する復調用ＲＳのマッピング設定として、上述したマッピング設定例１のように配置方法が予め規定されて固定されてもよい。
【００８６】
例えば、ＰＢＣＨ（ＭＩＢ）の構成は、制御チャネルに依存せず、変動しないことが想定される。あるいは、ＰＢＣＨ（ＭＩＢ）は、遅延に対する要求が高くないことが想定される。この場合、ＰＢＣＨ（ＭＩＢ）に対して配置方法１が設定されてもよい。この処理により、ＰＢＣＨに対する干渉制御が容易になり、干渉を抑圧できる。
【００８７】
または、ＰＢＣＨに対する復調用ＲＳのマッピング設定として、上述したマッピング設定例２のようにして、配置方法１が予め規定され、その後、配置方法１と配置方法２とが切り替え可能に設定されてもよい。この際、ＰＢＣＨに対する復調用ＲＳのマッピング設定は、ＰＢＣＨよりも早いタイミングにおいて送信されるＳＳの構成に関連付けられてimplicitに通知されてもよい。または、ユーザ端末２０は、ＰＢＣＨにおける復調用ＲＳをブラインドで推定してもよい。
【００８８】
なお、いずれの場合においてもユーザ端末２０が２回目以降ＰＢＣＨ（ＭＩＢ）を受信する場合の復調用ＲＳのマッピング設定を通知する方法は上記に限定されなくても良い。例えば、２回目以降のＰＢＣＨ（ＭＩＢ）に対する復調用ＲＳのマッピング設定は、ＳＳに限らず、当該２回目以降のＰＢＣＨよりも早いタイミングにおいて送信されるチャネル（信号）の構成に関連付けられてimplicitに通知されてもよい。
【００８９】
［ＳＩＢ］
ＳＩＢに対する復調用ＲＳのマッピング設定として、上述したマッピング設定例１のように配置方法が予め規定されて固定されてもよい。例えば、ＰＢＣＨ（ＭＩＢ）と同様、ＳＩＢに対して配置方法１が設定されてもよい。この処理により、ＳＩＢに対する干渉制御が容易になり、干渉を抑圧できる。
【００９０】
または、ＳＩＢに対する復調用ＲＳのマッピング設定として、上述したマッピング設定例２のようにして、配置方法１が予め規定され、その後、配置方法１と配置方法２とが切り替え可能に設定されてもよい。
【００９１】
または、ＳＩＢに対する復調用ＲＳのマッピング設定として、上述したマッピング設定例３のようにして、配置方法１又は配置方法２の何れか一方の配置方法が無線基地局１０からユーザ端末２０へ通知されてもよい。
【００９２】
なお、ＳＩＢに対する復調用ＲＳのマッピング設定は、ＳＩＢよりも早いタイミングにおいて送信されるＳＳ、ＰＢＣＨの構成に関連付けられてimplicitに通知されてもよい。または、ユーザ端末２０は、ＳＩＢにおける復調用ＲＳをブラインドで推定してもよい。または、ＳＩＢに対する復調用ＲＳのマッピング設定は、ＳＩＢよりも早いタイミングにおいて送信される制御情報であるＭＩＢによってexplicitに通知されてもよい。
【００９３】
なお、いずれの場合においてもユーザ端末２０が２回目以降ＳＩＢを受信する場合の復調用ＲＳのマッピング設定を通知する方法は上記に限定されなくても良い。例えば、２回目以降のＳＩＢに対する復調用ＲＳのマッピング設定は、ＳＳ、ＰＢＣＨ（ＭＩＢ）に限らず、当該２回目以降のＳＩＢよりも早いタイミングにおいて送信されるチャネル（信号）の構成に関連付けられてimplicit又はexplicitに通知されてもよい。
【００９４】
［ＲＡＣＨメッセージ２］
ＲＡＣＨメッセージ２は、ランダムアクセス処理においてユーザ端末２０が送信したプリアンブル（ＲＡＣＨ又はＲＡＣＨメッセージ１と呼ぶこともある）に対する応答信号である。つまり、ＲＡＣＨメッセージ２は、無線基地局１０からユーザ端末２０へ送信されるＤＬチャネル（例えば、ＰＤＳＣＨ）に含まれる信号である。この信号は、ＲＡＣＨメッセージ２と呼ばれてもよく、ＲＡＣＨｒｅｓｐｏｎｓｅ等の他の名称で呼ばれてもよい。
【００９５】
ＲＡＣＨメッセージ２に対する復調用ＲＳのマッピング設定として、上述したマッピング設定例１のように配置方法が予め規定されて固定されてもよい。例えば、ＲＡＣＨメッセージ２に対する復調用ＲＳのマッピング設定として、配置方法１及び配置方法２の何れか一方が設定される。
【００９６】
または、ＲＡＣＨメッセージ２に対する復調用ＲＳのマッピング設定として、上述したマッピング設定例２のようにして、配置方法１又は配置方法２が予め規定され、その後、配置方法１と配置方法２とが切り替え可能に設定されてもよい。
【００９７】
または、ＲＡＣＨメッセージ２に対する復調用ＲＳのマッピング設定として、上述したマッピング設定例３のようにして、配置方法１又は配置方法２の何れか一方の配置方法が無線基地局１０からユーザ端末２０へ通知されてもよい。
【００９８】
なお、ＲＡＣＨメッセージ２に対する復調用ＲＳのマッピング設定は、ＲＡＣＨメッセージ２よりも早いタイミングにおいて送信されるＳＳ、ＰＢＣＨ又はＳＩＢの構成に関連付けられてimplicitに通知されてもよい。または、ユーザ端末２０は、ＲＡＣＨメッセージ２における復調用ＲＳをブラインドで推定してもよい。または、ＲＡＣＨメッセージ２に対する復調用ＲＳのマッピング設定は、ＲＡＣＨメッセージ２よりも早いタイミングにおいて送信される制御情報であるＭＩＢ又はＳＩＢによってexplicitに通知されてもよい。
【００９９】
なお、いずれの場合においてもユーザ端末２０が２回目以降ＲＡＣＨメッセージ２を受信する場合の復調用ＲＳのマッピング設定を通知する方法は上記に限定されなくても良い。例えば、２回目以降のＲＡＣＨメッセージ２に対する復調用ＲＳのマッピング設定は、ＳＳ、ＰＢＣＨ（ＭＩＢ）及びＳＩＢに限らず、当該２回目以降のＲＡＣＨメッセージ２よりも早いタイミングにおいて送信されるチャネル（信号）の構成に関連付けられてimplicit又はexplicitに通知されてもよい。
【０１００】
［ＲＡＣＨメッセージ３］
ＲＡＣＨメッセージ３は、ランダムアクセス処理においてユーザ端末２０がＲＡＣＨメッセージ２の受信後にＲＲＣの接続を要求する信号である。つまり、ＲＡＣＨメッセージ３は、ユーザ端末２０から無線基地局１０へ送信されるＵＬチャネル（例えば、ＰＵＳＣＨ）に含まれる信号である。この信号は、ＲＡＣＨメッセージ３と呼ばれてもよく、ＣｏｎｔｒｏｌＭｅｓｓａｇｅ等の他の名称で呼ばれてもよい。
【０１０１】
ＲＡＣＨメッセージ３に対する復調用ＲＳのマッピング設定として、上述したマッピング設定例１のように配置方法が予め規定されて固定されてもよい。例えば、ＲＡＣＨメッセージ３に対する復調用ＲＳのマッピング設定として、配置方法１及び配置方法２の何れか一方が設定される。
【０１０２】
または、ＲＡＣＨメッセージ３に対する復調用ＲＳのマッピング設定として、上述したマッピング設定例２のようにして、配置方法１又は配置方法２が予め規定され、その後、配置方法１と配置方法２とが切り替え可能に設定されてもよい。
【０１０３】
または、ＲＡＣＨメッセージ３に対する復調用ＲＳのマッピング設定として、上述したマッピング設定例３のようにして、配置方法１又は配置方法２の何れか一方の配置方法が無線基地局１０からユーザ端末２０へ通知されてもよい。
【０１０４】
なお、ＲＡＣＨメッセージ３に対する復調用ＲＳのマッピング設定は、ＲＡＣＨメッセージ３よりも早いタイミングにおいて送信されるＳＳ、ＰＢＣＨ、ＳＩＢ又はＲＡＣＨの構成に関連付けられてimplicitに通知されてもよい。または、ユーザ端末２０は、ＲＡＣＨメッセージ３における復調用ＲＳをブラインドで推定してもよい。または、ＲＡＣＨメッセージ３に対する復調用ＲＳのマッピング設定は、ＲＡＣＨメッセージ３よりも早いタイミングにおいて送信される制御情報であるＭＩＢ、ＳＩＢ又はＲＡＣＨメッセージ２によってexplicitに通知されてもよい。
【０１０５】
なお、いずれの場合においてもユーザ端末２０が２回目以降ＲＡＣＨメッセージ３を受信する場合の復調用ＲＳのマッピング設定を通知する方法は上記に限定されなくても良い。例えば、２回目以降のＲＡＣＨメッセージ３に対する復調用ＲＳのマッピング設定は、ＳＳ、ＰＢＣＨ（ＭＩＢ）、ＳＩＢ及びＲＡＣＨメッセージ２に限らず、当該２回目以降のＲＡＣＨメッセージ３よりも早いタイミングにおいて送信されるチャネル（信号）の構成に関連付けられてimplicit又はexplicitに通知されてもよい。
【０１０６】
［ＲＡＣＨメッセージ４］
ＲＡＣＨメッセージ４は、ランダムアクセス処理においてＲＡＣＨメッセージ３受信後のＲＲＣ接続のための制御情報を含む信号である。つまり、ＲＡＣＨメッセージ４は、無線基地局１０からユーザ端末２０へ送信されるＤＬチャネル（例えば、ＰＤＳＣＨ）に含まれる信号である。この信号は、ＲＡＣＨメッセージ４と呼ばれてもよく、Ｃｏｎｔｅｎｔｉｏｎｒｅｓｏｌｕｔｉｏｎ等の他の名称で呼ばれてもよい。
【０１０７】
ＲＡＣＨメッセージ４に対する復調用ＲＳのマッピング設定として、上述したマッピング設定例１のように配置方法が予め規定されて固定されてもよい。例えば、ＲＡＣＨメッセージ４に対する復調用ＲＳのマッピング設定として、配置方法１及び配置方法２の何れか一方が設定される。
【０１０８】
または、ＲＡＣＨメッセージ４に対する復調用ＲＳのマッピング設定として、上述したマッピング設定例２のようにして、配置方法１又は配置方法２が予め規定され、その後、配置方法１と配置方法２とが切り替え可能に設定されてもよい。
【０１０９】
または、ＲＡＣＨメッセージ４に対する復調用ＲＳのマッピング設定として、上述したマッピング設定例３のようにして、配置方法１又は配置方法２の何れか一方の配置方法が無線基地局１０からユーザ端末２０へ通知されてもよい。
【０１１０】
なお、ＲＡＣＨメッセージ４に対する復調用ＲＳのマッピング設定は、ＲＡＣＨメッセージ４よりも早いタイミングにおいて送信されるＳＳ、ＰＢＣＨ、ＳＩＢ又はＲＡＣＨの構成に関連付けられてimplicitに通知されてもよい。または、ユーザ端末２０は、ＲＡＣＨメッセージ４における復調用ＲＳをブラインドで推定してもよい。または、ＲＡＣＨメッセージ４に対する復調用ＲＳのマッピング設定は、ＲＡＣＨメッセージ４よりも早いタイミングにおいて送信される制御情報であるＭＩＢ、ＳＩＢ、ＲＡＣＨメッセージ２又はＲＡＣＨメッセージ３によってexplicitに通知されてもよい。
【０１１１】
なお、いずれの場合においてもユーザ端末２０が２回目以降ＲＡＣＨメッセージ４を受信する場合の復調用ＲＳのマッピング設定を通知する方法は上記に限定されなくても良い。例えば、２回目以降のＲＡＣＨメッセージ４に対する復調用ＲＳのマッピング設定は、ＳＳ、ＰＢＣＨ（ＭＩＢ）、ＳＩＢ及びＲＡＣＨメッセージ２，３に限らず、当該２回目以降のＲＡＣＨメッセージ４よりも早いタイミングにおいて送信されるチャネル（信号）の構成に関連付けられてimplicit又はexplicitに通知されてもよい。
【０１１２】
［ＰＤＳＣＨ］
ＰＤＳＣＨに対する復調用ＲＳのマッピング設定として、上述したマッピング設定例１のように配置方法が予め規定されて固定されてもよい。例えば、ＰＤＳＣＨに対する復調用ＲＳのマッピング設定として、配置方法１及び配置方法２の何れか一方が設定される。
【０１１３】
または、ＰＤＳＣＨに対する復調用ＲＳのマッピング設定として、上述したマッピング設定例２のようにして、配置方法１又は配置方法２が予め規定され、その後、配置方法１と配置方法２とが切り替え可能に設定されてもよい。
【０１１４】
または、ＰＤＳＣＨに対する復調用ＲＳのマッピング設定として、上述したマッピング設定例３のようにして、配置方法１又は配置方法２の何れか一方の配置方法が無線基地局１０からユーザ端末２０へ通知されてもよい。
【０１１５】
なお、ＰＤＳＣＨに対する復調用ＲＳのマッピング設定は、ＰＤＳＣＨよりも早いタイミングにおいて送信されるＳＳ、ＰＢＣＨ、ＳＩＢ又はＲＡＣＨの構成に関連付けられてimplicitに通知されてもよい。または、ユーザ端末２０は、ＰＤＳＣＨにおける復調用ＲＳをブラインドで推定してもよい。または、ＰＤＳＣＨに対する復調用ＲＳのマッピング設定は、ＰＤＳＣＨよりも早いタイミングにおいて送信される制御情報であるＭＩＢ、ＳＩＢ、ＲＡＣＨメッセージ２〜４によってexplicitに通知されてもよく、ユーザ端末２０がＲＲＣ接続状態（RRC connected）であるのでＲＲＣ又はＤＣＩによってexplicitに通知されてもよい。
【０１１６】
［ＰＵＳＣＨ］
ＰＵＳＣＨに対する復調用ＲＳのマッピング設定として、上述したマッピング設定例１のように配置方法が予め規定されて固定されてもよい。例えば、ＰＵＳＣＨに対する復調用ＲＳのマッピング設定として、配置方法１及び配置方法２の何れか一方が設定される。
【０１１７】
または、ＰＵＳＣＨに対する復調用ＲＳのマッピング設定として、上述したマッピング設定例２のようにして、配置方法１又は配置方法２が予め規定され、その後、配置方法１と配置方法２とが切り替え可能に設定されてもよい。
【０１１８】
または、ＰＵＳＣＨに対する復調用ＲＳのマッピング設定として、上述したマッピング設定例３のようにして、配置方法１又は配置方法２の何れか一方の配置方法が無線基地局１０からユーザ端末２０へ通知されてもよい。
【０１１９】
なお、ＰＵＳＣＨに対する復調用ＲＳのマッピング設定は、ＰＵＳＣＨよりも早いタイミングにおいて送信されるＳＳ、ＰＢＣＨ、ＳＩＢ又はＲＡＣＨの構成に関連付けられてimplicitに通知されてもよい。または、ユーザ端末２０は、ＰＵＳＣＨにおける復調用ＲＳをブラインドで推定してもよい。または、ＰＵＳＣＨに対する復調用ＲＳのマッピング設定は、ＰＵＳＣＨよりも早いタイミングにおいて送信される制御情報であるＭＩＢ、ＳＩＢ、ＲＡＣＨメッセージ２〜４によってexplicitに通知されてもよく、ユーザ端末２０がＲＲＣ接続状態（RRC connected）であるので、ＲＲＣ又はＤＣＩによってexplicitに通知されてもよい。
【０１２０】
以上、チャネル毎の復調用ＲＳのマッピング設定及び通知方法について説明した。
【０１２１】
＜本実施の形態の効果＞
このように、本実施の形態では、ユーザ端末２０は、ＤＬにおいて、サブフレーム内の固定のシンボルに復調用ＲＳが配置される配置方法１、及び、サブフレーム内のデータ信号がマッピングされるシンボルの先頭に復調用ＲＳが配置される配置方法２のうちの何れか一方の配置方法に基づいて、ＤＬ信号から復調用ＲＳを分離し、復調用ＲＳを用いてデータ信号を復調する。
【０１２２】
この処理により、本実施の形態によれば、例えば、ユーザ端末２０に対して想定される通信状況（シナリオ）に応じて、ＤＬリソースに適切にマッピングされた復調用ＲＳを用いてＤＬデータ信号を復調できるので、ユーザ端末２０での復調時の遅延又は干渉を抑えてスループットを向上できる。
【０１２３】
また、ユーザ端末２０は、ＵＬにおいて、上記復調用ＲＳの配置方法１及び配置方法２のうちの何れか一方の配置方法に基づいて、ＵＬリソースに復調用ＲＳをマッピングし、復調用ＲＳを送信する。
【０１２４】
この処理により、本実施の形態によれば、例えば、ユーザ端末２０に対して想定される通信状況（シナリオ）に応じて、復調用ＲＳの配置方法１及び配置方法２の何れかを用いてＵＬリソースに復調用ＲＳを適切にマッピングできるので、無線基地局１０での復調時の遅延又は干渉を抑えてスループットを向上できる。
【０１２５】
また、複数の配置方法の中から各ユーザ端末２０に対して復調用ＲＳのマッピング設定を選択できるので、例えば、将来の無線通信システムの拡張性（Forward compatibility）を考慮した復調用ＲＳのマッピングをサポートできる。すなわち、本実施の形態によれば、将来の無線通信システムにおけるサブフレーム内のチャネル構成に応じて、復調用ＲＳのシンボル配置を柔軟に設計できる。
【０１２６】
また、本実施の形態によれば、復調用ＲＳのマッピング設定が予め規定される場合、又は、既存信号に関連付けてimplicitに通知される場合には、復調用ＲＳのマッピング設定を通知するための新たなシグナリングが不要となり、シグナリングオーバーヘッドが増大することを防止できる。
【０１２７】
以上、実施の形態について説明した。
【０１２８】
なお、上記の説明で用いた復調用ＲＳの配置方法１（図１を参照）において、復調用ＲＳがマッピングされるシンボル位置は１つに固定されてもよく、複数のシンボル位置に変更可能でもよい。例えば、図１Ａ及び図１Ｂに示すように、配置方法１において、復調用ＲＳはサブフレーム先頭から４シンボル目に固定して配置されてもよく、４シンボル目の配置が予め規定（predefine）され、３シンボル目又は５シンボル目の配置に切り替えられてもよく、３／４／５シンボル目の配置が切り替えられてもよい。なお、復調用ＲＳが配置されるシンボルは３／４／５シンボル目に限定されない。
【０１２９】
また、上記の説明で用いた図１Ａ、図１Ｂ、図２Ａ、図２Ｂに示す復調用ＲＳのシンボル配置例は一例であって、復調用ＲＳのシンボル位置は、これらに限定されない。例えば、復調用ＲＳは、各サブフレームの前方のシンボルのいずれかに配置されていればよい。また、各サブフレームにおいて復調用ＲＳがマッピングされるシンボル数は１シンボルに限定されず、複数のシンボルにマッピングされてもよい。また、復調用ＲＳは、複数のシンボル及び複数のサブキャリアに分散してマッピングされてもよい。
【０１３０】
また、explicitなシグナリングによって通知されるマッピング設定のパラメータは、例えば、配置方法１又は配置方法２の何れかを示す値でもよく、復調用ＲＳのマッピング位置を示すマッピングパターンでもよく、各信号の送信周期、信号の個数、使用される系列、及び、使用されるアンテナポート数等でもよい。また、通知される値は、設定値そのものでもよく、複数の設定値の候補にそれぞれ付されたインデックス値、もしくは複数の設定値の候補にまとめて付されたインデックス値、でもよい。インデックス値を用いることで、設定値そのものを通知する場合よりも、マッピング設定の通知に要するシグナリングサイズを低減できる。
【０１３１】
また、上記の説明では、一例として、復調用ＲＳの配置方法１（図１）及び配置方法２（図２）を用いる場合について説明した。しかし、上記実施の形態に係る無線通信システムにおいて、復調用ＲＳのマッピング設定はこれらの配置方法に限定されず、複数の異なる配置方法がユーザ端末２０に設定可能であればよい。
【０１３２】
また、上記の説明では、一例として、無線基地局１０（スケジューラ１０１）がユーザ端末２０に対する復調用ＲＳのマッピング設定（配置方法１又は配置方法２の決定）を行う場合について説明した。しかし、上記実施の形態は、ユーザ端末２０が復調用ＲＳのマッピング設定を行ってもよい。この場合、図４に示すユーザ端末２０は、図３に示す無線基地局１０のスケジューラ１０１と同様の構成を備えればよい。
【０１３３】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１３４】
例えば、本発明の一実施の形態における無線基地局、ユーザ端末などは、本発明の無線通信方法の処理を行うコンピュータとして機能してもよい。図６は、本発明の一実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１３６】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１３７】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１３８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のスケジューラ１０１、送信信号生成部１０２，２０５、符号化・変調部１０３，２０６、マッピング部１０４，２０７、制御部１０８，２０３、復調・復号部１０９，２０４などは、プロセッサ１００１で実現されてもよい。
【０１３９】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０のスケジューラ１０１，制御部１０８，２０３は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１４０】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１４１】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１４２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０５，２０８、アンテナ１０６，２０１、受信部１０７，２０２などは、通信装置１００４で実現されてもよい。
【０１４３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１４４】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１４５】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１４６】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１４７】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１４８】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１４９】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１５０】
（入出力の方向）
情報及び信号等は、上位レイヤ(または下位レイヤ)から下位レイヤ(または上位レイヤ)に出力され得る。複数のネットワークノードを介して入出力されてもよい。
【０１５１】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１５２】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１５３】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１５４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１５５】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１５６】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１５７】
（「システム」、「ネットワーク」）
本明細書で使用する「システム」および「ネットワーク」という用語は、互換的に使用される。
【０１５８】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１５９】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１６０】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１６１】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０１６２】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１６３】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１６４】
参照信号は、ＲＳ（Reference Signal）と略称することもでき、適用される標準によってパイロット（Pilot）と呼ばれてもよい。また、復調用ＲＳは、対応する別の呼び方であってもよい。
【０１６５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１６６】
上記の各装置の構成における「部」を、「手段」、「回路」、「デバイス」等に置き換えてもよい。
【０１６７】
「含む(including)」、「含んでいる（comprising）」、およびそれらの変形が、本明細書あるいは請求の範囲で使用されている限り、これら用語は、用語「備える」と同様に、包括的であることが意図される。さらに、本明細書あるいは請求の範囲において使用されている用語「または（or）」は、排他的論理和ではないことが意図される。
【０１６８】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０１６９】
無線フレーム、サブフレーム、スロット、ミニスロット、およびシンボルは、いずれも信号を伝送する際の時間単位を表す。無線フレーム、サブフレーム、スロット、ミニスロット、およびシンボルは、それぞれに対応する別の呼び方であってもよい。
【０１７０】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０１７１】
例えば、1サブフレームをＴＴＩと呼んでもよいし、複数の連続したサブフレームをＴＴＩと呼んでもよいし、１スロットをＴＴＩと呼んでもよいし、１ミニスロットをＴＴＩと読んでもよい。
【０１７２】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１ミニスロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０１７３】
上述した無線フレームの構造は例示に過ぎず、無線フレームに含まれるサブフレームの数、サブフレームに含まれるスロットの数、サブフレームに含まれるミニスロットの数、スロットに含まれるシンボルおよびリソースブロックの数、および、リソースブロックに含まれるサブキャリアの数は様々に変更することができる。
【０１７４】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１７５】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１７６】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１７７】
本特許出願は２０１７年２月３日に出願した日本国特許出願第２０１７−０１９１１８号に基づきその優先権を主張するものであり、日本国特許出願第２０１７−０１９１１８号の全内容を本願に援用する。
【産業上の利用可能性】
【０１７８】
本発明の一態様は、移動通信システムに有用である。
【符号の説明】
【０１７９】
１０  無線基地局
２０  ユーザ端末
１０１  スケジューラ
１０２，２０５  送信信号生成部
１０３，２０６  符号化・変調部
１０４，２０７  マッピング部
１０５，２０８  送信部
１０６，２０１  アンテナ
１０７，２０２  受信部
１０８，２０３  制御部
１０９，２０４  復調・復号部
【図１Ａ】
2018142746.tif 000003
【図１Ｂ】
2018142746.tif 000004
【図２Ａ】
2018142746.tif 000005
【図２Ｂ】
2018142746.tif 000006
【図３】
2018142746.tif 000007
【図４】
2018142746.tif 000008
【図５Ａ】
2018142746.tif 000009
【図５Ｂ】
2018142746.tif 000010
【図５Ｃ】
2018142746.tif 000011
【図６】
2018142746.tif 000012
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
下り共有チャネルの信号を受信する受信部と、
前記下り共有チャネルのスロット内の固定のシンボルに復調用参照信号がマッピングされる第１のマッピング方法、及び、前記下り共有チャネルがスケジューリングされるシンボルの先頭に前記復調用参照信号がマッピングされる第２のマッピング方法の何れか一方に基づいて、前記復調用参照信号の受信を制御する制御部と、
を具備する端末。
【請求項２】
前記受信部は、前記復調用参照信号のマッピング方法に対応する情報を、上位レイヤシグナリング、及び、下り制御情報の少なくとも一つにより受信する、
請求項１に記載の端末。
【請求項３】
報知チャネルの信号を受信する受信部と、
前記報知チャネルのスロット内の固定のシンボルに復調用参照信号がマッピングされるマッピング方法に基づいて、前記復調用参照信号の受信を制御する制御部と、
を具備する端末。
【請求項４】
前記マッピング方法は予め規定される、
請求項３に記載の端末。
【請求項５】
上り共有チャネルのスロット内の固定のシンボルに復調用参照信号がマッピングされる第１のマッピング方法、及び、前記上り共有チャネルがスケジューリングされるシンボルの先頭に前記復調用参照信号がマッピングされる第２のマッピング方法の何れか一方に基づいて、前記復調用参照信号をマッピングする制御部と、
前記復調用参照信号を送信する送信部と、
を具備する端末。
【請求項６】
前記端末は、前記復調用参照信号のマッピング方法に対応する情報を、上位レイヤシグナリング、及び、下り制御情報の少なくとも一つにより受信する、
請求項５に記載の端末。
【請求項７】
下り共有チャネルのスロット内の固定のシンボルに復調用参照信号がマッピングされる第１のマッピング方法、及び、前記下り共有チャネルがスケジューリングされるシンボルの先頭に前記復調用参照信号がマッピングされる第２のマッピング方法の何れか一方に基づいて、前記復調用参照信号をマッピングする制御部と、
前記復調用参照信号を送信する送信部と、
を具備する基地局。
【請求項８】
前記送信部は、前記復調用参照信号のマッピング方法に対応する情報を、上位レイヤシグナリング、及び、下り制御情報の少なくとも一つにより送信する、
請求項７に記載の基地局。
【請求項９】
報知チャネルのスロット内の固定のシンボルに復調用参照信号をマッピングする制御部と、
前記復調用参照信号を送信する送信部と、
を具備する基地局。
【請求項１０】
前記復調用参照信号のマッピング方法は予め規定される、
請求項９に記載の基地局。
【手続補正３】
【補正対象書類名】明細書
【補正対象項目名】０００１
【補正方法】変更
【補正の内容】
【０００１】
本発明は、次世代移動通信システムにおける端末及び基地局に関する。
【手続補正４】
【補正対象書類名】明細書
【補正対象項目名】０００７
【補正方法】変更
【補正の内容】
【０００７】
本発明の一態様は、適切にマッピングされた復調用ＲＳを用いてデータ信号を復調できる、又は、リソースに復調用ＲＳを適切にマッピングできる端末及び基地局を提供することである。
【手続補正５】
【補正対象書類名】明細書
【補正対象項目名】０００８
【補正方法】変更
【補正の内容】
【０００８】
本発明の一態様に係る端末は、下り共有チャネルの信号を受信する受信部と、前記下り共有チャネルのスロット内の固定のシンボルに復調用参照信号がマッピングされる第１のマッピング方法、及び、前記下り共有チャネルがスケジューリングされるシンボルの先頭に前記復調用参照信号がマッピングされる第２のマッピング方法の何れか一方に基づいて、前記復調用参照信号の受信を制御する制御部と、を備える。
【国際調査報告】
2018142746.tif 000013
2018142746.tif 000014
2018142746.tif 000015
2018142746.tif 000016